(57)【要約】      （修正有）【課題】海中発電の１つである浮力回転扇発電に於ける発電容量の増大をいかにするかが大問題であり、この問題を解決する為の新発電方法を提供する。【解決手段】高水圧ジェット噴出装置より強力なジェット海水が各回転扇に噴出されその排海水が下の海水放出圧力機械室にて大量処理をされ、処理が出来ない排海水がその下に設置をされた空気容器安定船にて処理をされる。また、陸地より出来るだけ近い場所を選定する。【選択図】図２
2012246913.tif 000002
【特許請求の範囲】
【請求項１】
海中発電で懸案の１ツである大容量発電が本発明により浮力回転扇発電を大きく前進させるものであり、又設置場所、発電量の多少等、いろいろの諸条件、発電目的に応じて設置出来る事となり、より多くの発電を求める各地域のより近くの海中にて設置出来る事となるものである。
【請求項２】
本図の通り海中発電による排海水を３段階に処理を行なう事に依り大容量発電に対応出来るものである。
又大懸案の１ツである大きな台風等の対応にも各海中容器船の調整を行なう事により上部の浮力回転船を完全に海中に潜行さす事により簡単に対応出来るものであり当然海中発電には全く影響される事はないものである。
【請求項３】
世界で初めての海中発電の中で重要な大容量の各容器船の海中設置を本図の通り行なう事により、より安全に又確実に施工が行なわれるものである。
今迄は誰も全く想像する事すら出来なかったものである。
本発明が資源の少ないと思われている日本に今後は大資源国となるものである。
【発明の詳細な説明】
【技術分野】
【０００１】回転扇発電に於ける大容量発電の新構想である【０００２】  大量の排海水を確実に処理する為の各設備の強力化と確実な設置構想である。【０００３】  図１・図２・図３にて説明をする。【０００４】  別図の通り浮力回転扇の上、下回転扇を回転方向を別方向に回転さす事により、大容量の発電がより可能となるものである。
【発明の概要】
【発明が解決しようとする課題】
【０００５】  海中発電の１つである浮力回転扇発電に於ける発電容量の増大をいかにするかが大問題であり、この問題を解決する為の新発電方法である。
【課題を解決するための手段】
【０００６】  海中発電の中で大切な役目を課たす回転扇の回転に依る発電をより効率を上げる事になれば殆んど海中発電での回転扇発電方式の変更等一切必要とせず強力な発電量を確保出来るものである。
【発明の効果】
【０００７】  海中発電が成功するか失敗するかの違いは本当に強力な発電力を確保出来るかどうかという事と思うが主力となるべき浮力式回転扇の発電方式の能力をより強力に増大させる事が大切であるとの想いから何通りの思考の中からの新方法である。
新方法による発電能力は強力な発電能力を持ち今後海中発電に於ける大可能性が見える事となりより身近なものとなり、いよいよ海中発電が大発展するものです。
【図面の簡単な説明】
【０００８】
【図１】回転扇の回転方向を図の通りとし、６０ｍの回転扇の各々反対方向えの回転力を利用し、その間に発電機に継がる発電軸を超高速回転とさすものである。
【図２】浮力回転船の全体図と円盤形海流安定海中扇による海中安定図と海水放出機械室の強力な排海水方法の全体図とより強力な排海水能力を持つ空気容器安定船図とその処理能力を越えた場合の「排海水処理施設」である「大深度深海水排圧深海船」の海中での全体図である。
【図３】現在では考えられない大容量の「大深度深海水排圧深海船」の深海えの設置方法を海上にて組立てて現時点では全世界でも考えられた事のない１，０００ｍ×５００ｍ×３００ｍの大容量の「大深度深海水排圧深海船」を深海に設置する為の組立て方法とこの大容器船の設置に依り、数十基の浮力回転扇発電設備よりの排海水を処理が可能となり現時点では想像も出来ない大規模大容量の発電施設が出現するものである。
【発明を実施するための形態】
【０００９】〔図１〕
浮力回転扇各々の回転を本図の通り右回りと左回りの設定を行ない、各回転扇が交互に回転をすればその間に設置をされた回転軸６本が図の通りに超高速回転を行なうものである。又各回転軸ＹとＲの各回転速度が多少遅くても各発電軸は回転の比率に依り高速回転を行ない、大容量発電を行なうものである。
又主力発電軸は回転扇Ｒの主軸であり回転扇Ｒと同じ方向に回転をし発電を行なうものである。
〔図２〕
本図の通り、高水圧ジェット噴出装置より強力なジェット海水が各回転扇に噴出されその排海水が下の海水放出圧力機械室にて大量処理をされ、処理が出来ない排海水がその下に設置をされた空気容器安定船にて処理をされる図である。
又上部浮力回転扇発電船に於て、より強大な回転力を確保する為にジェット海水を大容量にて長時間放出する時等には、大量の排海水が出現するがその時には図下の「大深度深海水排圧深海船」に排海水の放出を行ない処理を行なうものである。
この三層構造排海水設備により大量の発電済み排海水の海中発電にとっては最大の懸案である海中設備外えの排海水が充分処理される事となり海中発電による大規模発電えの期待が大きく前進するものである。
〔図３〕
この容器船の底（船底）部分は全く必要とせず、全く無いものである。
大深度深海水排圧深海船にはその為に水深圧等は殆んど掛からず海上よりの圧縮空気の注入等に依りその時の空気容量は大きく膨らむものであるが、想像以上に水圧等がかからない為に骨組みの鉄骨等に大きな強化等もあまり必要とせず、本図の様に大型フロート船のクレーンと強力なフロート性浮袋等の使用により海上にて超広大な巨体の本容器船の海上での組立て深海中設置等が実現するものである。
別途申請を行なった水深５００ｍ下の海底に普通の服装で人間が活動出来る事を併せて考えると将来は２，０００ｍ×１，０００ｍ×５００ｍ等のメガ海中容器船等も出現するものであり、本海中発電設備容器船を本海中発電の大切な重要要素と見做すものである。
【図１】
2012246913.tif 000003
【図２】
2012246913.tif 000004
【図３】
2012246913.tif 000005
【手続補正書】
【提出日】平成23年9月7日(2011.9.7)
【手続補正１】
【補正対象書類名】特許請求の範囲
【補正対象項目名】全文
【補正方法】変更
【補正の内容】
【特許請求の範囲】
【請求項１】
まず従来の回転扇では１つの大きな円形の回転扇が回り中心の回転軸のみの回転となるが、本発見は図１の通り外側の回転扇Ｙと内側の回転扇Ｒの間に一定空間を設け外側の回転扇Ｙと内側の回転扇Ｒが各々反対方向に回転を行うとし、その間の空間部分に図１の通り発電軸Ａ、Ｂ、Ｃ、Ｄ、Ｅ、Ｆを設置する。
外側回転扇Ｙと内側回転扇Ｒが回転を行なえば中間部分の各発電軸のＡ、Ｂ、Ｃ、Ｄ、Ｅ、Ｆは内側と外側の強力な回転力により同一方向に回転が行なわれるものであり、当然中心軸部分の「主力発電軸」も回転を始め都合７台の発電軸が稼動を始め発電を行なうものである。
又本回転軸に噴出される大量の噴出海水は図２の通り海中船内に設置をされた高圧空気室より噴出される高圧海水と海上部分に設置をされた「海水混合高圧空気室」よりふんだんに「高海水圧ジェット噴出機」より各回転扇部分に噴出が行なわれ発電を行なうものである。
【請求項２】
図２の通り大量の排水が上部発電設備より排出されるものであり、まず第１に排水が発生次第に各々の「海水放出圧力機械室に流入し、ある程度の排水量になればまず一番にこの設備内にての排水を行なうものであるが、段々と排水の量が増加して来れば次にすぐ下部分の「空気容器安定船」内の「海水放出圧力機械室」内に大量の排水が流入を行なわれ、図２の通り″水栓蓋Ａ・Ａ−ＩＩ″″水栓蓋Ｂ・Ｂ−ＩＩ″部分が各々同時に排出稼動が行なわれ外海えと排出される。
又この両設備での排水力以上の排水が流入される場合は図２の通り本空気容器安定船より直接「大深度深海水排圧深海船」に放出を行なうものとする。近い将来に於いては、わずか１基〜２基のみの″海中発電船″の設置では大量に必要な発電容量に殆んど役に立たない為に５基〜１０基と発電船の設置を行なうものであり一番大切なより大量の排水が可能な３段階での排水設備の設置とする。
【請求項３】
この項は１番大切な請求項である。
図３の海中設置図の通り、陸上での造船技術等とは比べものにならない位の簡単なただの海中の箱であり、防圧、防水の為の鋼鉄と鉄筋とコンクリートと小石と防水ゴム等による５ｍ〜１０ｍの厚さにさえ建造設置さえ行なえれば当然その部分は外壁部分のみで良く誰が考えても海中設置に全く不安は無く又コストが大変に安く、開発設置が始まれば数年の間に超巨大な海中発電所が設置が行なわれ、海中空間は無限に広く深くあらゆる方面で活用される事となり、この海中発電構想自体が日本の活力となるものである。
図２の通り深海３００ｍ〜５００ｍに於て人間が普通の作業服にて活動が出来、又水圧等は全く無く普通の陸上での活動と何の差異が感じられず影響される事が無いという事が″大発見″される事である。
【手続補正書】
【提出日】平成23年11月7日(2011.11.7)
【手続補正１】
【補正対象書類名】特許請求の範囲
【補正対象項目名】全文
【補正方法】変更
【補正の内容】
【特許請求の範囲】
【請求項１】
海中に船を設け、船内に、高圧な空気を導入するための高圧空気室と、円筒形状をなす外側回転扇Ｙと、外側回転扇の内側に配置された円筒形状をなす内側回転扇Ｒと、を設置し、
内側回転扇Ｒの中心に主力発電軸を設けるとともに、外側回転扇Ｙと内側回転扇Ｒの間に当該外側回転扇Ｙと内側回転扇Ｒの回転力が伝達されるように６本の発電軸を設け
前記外側回転扇Ｙ及び内側回転扇Ｒに、船の外より船内に噴出される海水と高圧空気室より導入される高圧空気とを混合したジェット噴流を当てて、内側回転扇Ｒを回転させることにより主力発電軸を回転させ、かつ、前記外側回転扇Ｙと内側回転扇Ｒとは反対方向に回転させることにより前記６本の発電軸を回転させ、前記主力発電軸及び前記６本の発電軸に連結された発電機により発電を行なう発電装置。
【手続補正書】
【提出日】平成24年1月26日(2012.1.26)
【手続補正１】
【補正対象書類名】特許請求の範囲
【補正対象項目名】全文
【補正方法】変更
【補正の内容】
【特許請求の範囲】
【請求項１】
海中に船を設け、船内に、高圧な空気を導入するため高圧空気室と、円筒形状をなす外側回転扇Ｙと、外側回転扇の内側に配置された円筒形状をなす内側回転扇Ｒと、を設置し、内側回転扇Ｒの中心に主力発電軸を設けるとともに、外側回転扇Ｙと内側回転扇Ｒの間に当該外側回転扇Ｙと内側回転扇Ｒの回転力が伝達されるように６本の発電軸を設け、前記外側回転扇Ｙ及び内側回転扇Ｒに、船の外より船内に噴出される海水と高圧空気室より導入される高圧空気とを混合したジェット噴流を当てて、内側回転扇Ｒを回転させることにより主力発電軸を回転させ、かつ、前記外側回転扇Ｙと内側回転扇Ｒとは反対方向に回転させることにより前記６本の発電軸を回転させ、前記主力発電軸及び前記６本の発電軸に連結された発電機により発電を行なう発電装置である。
【手続補正２】
【補正対象書類名】明細書
【補正対象項目名】０００９
【補正方法】変更
【補正の内容】
【０００９】  海中に船を設け、船内に、高圧な空気を導入するための高圧空気室と、円筒形状をなす外側回転扇Ｙと、外側回転扇の内側に配置された円筒形状をなす内側回転扇Ｒと、を設置し、内側回転扇Ｒの中心に主力発電軸を設けるとともに、外側回転扇Ｙと内側回転扇Ｒの間に当該外側回転扇Ｙと内側回転扇Ｒの回転力が伝達されるように６本の発電軸を設け、前記外側回転扇Ｙ及び内側回転扇Ｒに、船の外より船内に噴出される海水と高圧空気室より導入される高圧空気とを混合したジェット噴流を当てて、内側回転扇Ｒを回転させることにより主力発電軸を回転させ、かつ、前記外側回転扇Ｙと内側回転扇Ｒとは反対方向に回転させることにより前記６本の発電軸を回転させ、前記主力発電軸及び前記６本の発電軸に連結された発電機により発電を行なう発電装置である。